(57)【特許請求の範囲】
【請求項１】
上面の中央部に軸孔が形成された箱状のケース体と、このケース体の外側より回転させることができる巻取り体とからなる光ファイバーケーブルの巻取り具であって、
前記巻取り体は、光ファイバーケーブルの特性を損なうことのない曲げで巻取ることができる巻取りドラム、この巻取りドラムの上部に設けられたフランジ、このフランジの上面に光ファイバーケーブルを挿入することができる隙間を介して設けられた一対のガイドドラム、およびこの一対のガイドドラムの内壁部位に形成されて前記軸孔に挿入される回転体とからなり、
前記フランジは前記一対のガイドドラムから前記巻取りドラムへ光ファイバーケーブルをガイドするガイド部を有し、
前記ケース体は中央上面および両壁面に光ファイバーケーブルの中央部を上面から挿入することができる光ファイバー挿入孔を有し、
この光ファイバー挿入孔と前記隙間とが連通していて、前記光ファイバー挿入孔から挿入された光ファイバーケーブルの余長部の中央部が、前記隙間に挿入され、前記回転体を外部から回転させることにより、前記光ファイバーケーブルの余長部が前記一対のガイドドラムに巻かれて前記ガイド部より前記巻取り体に巻取られることを特徴とする光ファイバーケーブルの巻取り具。
【請求項２】
前記ケース体が上部ケース体と下部ケース体とからなり、この下部ケース体の中央に支持軸が形成され、前記巻取りドラムが支持軸挿入孔を有し、前記巻取りドラムが回転可能となるように前記支持軸が前記支持軸挿入孔に挿入されることを特徴とする請求項１記載の光ファイバーケーブルの巻取り具。
【発明の詳細な説明】
【０００１】
【発明の属する技術分野】
本発明は光ファイバーケーブル配線時に生じる配線光ファイバーケーブルの余長を巻取ったり、検査時に使用する接続する光ファイバーケーブルを巻取ったりする光ファイバーケーブルの巻取り具に関する。
【０００２】
【従来の技術】
従来、電線の余長巻取り具として箱状のケース体と、この箱状のケース体内を通過するように電線を挿入することができるように、中央上面および両側壁に形成された電線挿入孔と、前記ケース体内に回転可能に取付けられた中央部に、前記電線挿入孔と対応する電線挿入溝が形成された電線巻取りドラムとで構成されたものが使用されている。
【０００３】
【発明が解決しようとする課題】
従来の電線の余長巻取り具に余長光ファイバーケーブルを巻取った場合、電線巻取りドラムの電線挿入溝から電線巻取りプラムの外周部への巻取り部が鋭角に曲げられるため、光ファイバーケーブルの特性が損なわれ、使用できないという欠点があった。
【０００４】
本発明は以上のよう従来の欠点に鑑み、検査時に使用する接続光ファイバーケーブルや配線時に生じる配線光ファイバーケーブルの余長を、光ファイバーケーブルの特性を損なうことなく、容易に巻取ることができる光ファイバーケーブルの巻取り具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は上面の中央部に軸孔が形成された箱状のケース体と、このケース体の外側より回転させることができる巻取り体とからなる光ファイバーケーブルの巻取り具であって、
前記巻取り体は、光ファイバーケーブルの特性を損なうことのない曲げで巻取ることができる巻取りドラム、この巻取りドラムの上部に設けられたフランジ、このフランジの上面に光ファイバーケーブルを挿入することができる隙間を介して設けられた一対のガイドドラム、およびこの一対のガイドドラムの内壁部位に形成されて前記軸孔に挿入される回転体とからなり、
前記フランジは前記一対のガイドドラムから前記巻取りドラムへ光ファイバーケーブルをガイドするガイド部を有し、
前記ケース体は中央上面および両壁面に光ファイバーケーブルの中央部を上面から挿入することができる光ファイバー挿入孔を有し、
この光ファイバー挿入孔と前記隙間とが連通していて、前記光ファイバー挿入孔から挿入された光ファイバーケーブルの余長部の中央部が、前記隙間に挿入され、前記回転体を外部から回転させることにより、前記光ファイバーケーブルの余長部が前記一対のガイドドラムに巻かれて前記ガイド部より前記巻取り体に巻取られるようにして光フアイバーケーブルの巻取り具を構成している。
【０００７】
【発明の実施の形態】
以下、図面に示す実施の形態により、本発明を詳細に説明する。
【０００８】
図１ないし図１８に示す本発明の第１の実施の形態において、１は光ファイバーケーブル配線時に生じる配線光ファイバーケーブルの余長あるいは検査時に使用する、接続する光ファイバーケーブル等の光ファイバーケーブル２を巻取る本発明の光ファイバーケーブルの巻取り具で、この光ファイバーケーブルの巻取り具１は箱状のケース体３と、このケース体３内を通過するように前記光ファイバーケーブル２を挿入することができるように、ほぼ中央上面および両側壁に形成された光ファイバーケーブル挿入孔４と、前記ケース体３内に光ファイバーケーブル２の特性を損なうことのない曲げで巻取ることができるように回転可能に取付けられた光ファイバーケーブル巻取り体５とで構成されている。
【０００９】
前記ケース体３は下部ケース体６と、この下部ケース体６の上面に複数本、本発明の実施の形態では６本のビス７、７、７、７、７、７で固定される前記下部ケース体６のほぼ中央上部に光ファイバーケーブル挿入孔４となる隙間および中央部に軸孔８ができる同一形状となるように２分割された上部ケース本体９、９で構成される上部ケース体１０とで構成されている。
【００１０】
前記下部ケース体６は図３ないし図５に示すように、対向部がほぼ直角に形成された楕円形状の板状の下部ケース本体１１と、この下部ケース本体１１の上面ほぼ中央部に上方へ突出するように一体形成された支持軸１２と、この支持軸１２の外周部の前記下部ケース本体１１の上面に放射状および該下部ケース本体１１の上面外周部に一体形成された補強リブ１３、１４と、前記下部ケース本体１１の外周部寄りの部位に形成された６個のビス挿入孔１５、１５、１５、１５、１５、１５と、前記下部ケース本体１１の対向する上面中央外周部に一体形成されたくさび状の一対の係止片１６、１６とで構成されている。
【００１１】
前記上部ケース体１０の上部ケース本体９、９は図６ないし図９に示すように、前記下部ケース体６のほぼ２等分になるように形成された板状の上面板１７と、この上面板１７の内側面のほぼ中央部に形成された前記軸孔８の半分を構成する半円弧状の凹部１８と、前記上面板１７の開口端部１９を除く下面外周部に一体形成された側壁２０と、この側壁２０の内側面の上面板１７の下面に一体形成された内側側壁２１と、前記下部ケース体６のビス挿入孔１５、１５、１５、１５、１５、１５と対応する部位の、前記上面板１７に形成されたビス螺合孔２２、２２、２２と、前記上面板１７の下面の前記側壁２０を除く外周部および前記凹部１８の外周部に放射状となるように一体形成された補強リブ２３、２４と、前記下部ケース体６の一対の係止片１６、１６の後部に隙間２５、２５を介して位置するように、前記上面板１７に一体形成されたガイド片２６とで構成されている。
【００１２】
前記光ファイバーケーブル巻取り体５は図１０ないし図１３に示すように、光ファイバーケーブル２の特性を損なうことのない曲げで巻取ることができる巻取りドラム２７と、この巻取りドラム２７の下部に一体あるいは固定された中央部に前記ケース体３の支持軸１２が挿入される支持軸挿入孔２８を有する下部フランジ２９と、前記巻取りドラム２７の上部に一体あるいは固定された、ほぼ１８０゜部位に該巻取りドラム２７へ光ファイバーケーブル２をガイドするガイド部３０、３０が形成されたフランジ３１と、このフランジ３１の上面に光ファイバーケーブル２を挿入することができる隙間３２を介して固定あるいは一体形成された一対のガイドドラム３３、３３と、この一対のガイドドラム３３、３３の内側部位に一体形成された、前記ケース体３の軸孔８に回転可能に挿入される一対の回転体３４、３４とで構成されている。
【００１３】
上記構成の光ファイバーケーブルの巻取り具１は図１４ないし図１８に示すように、ケース体３の光ファイバーケーブル挿入孔４に巻取りする光ファイバーケーブル２のほぼ中央部を挿入し、該光ファイバーケーブル挿入孔４の両端部に位置する光ファイバーケーブル２を、下部ケース体６の一対の係止片１６、１６と上部ケース体１０の上部ケース本体９、９のガイド片２６、２６を通過させて光ファイバーケーブル２を位置決め状態にする。
しかる後、一対の回転体３４、３４を指先でつまんで回転することにより、ケース体３の光ファイバーケーブル挿入孔４に挿入され、光ファイバーケーブル巻取り体５の一対のガイドドラム３３、３３間の隙間３２に挿入された光ファイバーケーブル２は一対のガイドドラム３３、３３に巻付けられ、ほぼ１８０゜回転されたところでフランジ３１のガイド部３０、３０より巻取りドラム２７へ導かれ、さらに回転されることにより該巻取りドラム２７に図１６に示すように巻付け収納することができる。
【００１４】
【発明の異なる実施の形態】
次に、図１９ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１９および図２０に示す本発明の第２の実施の形態において、前記本発明の第１の実施の形態と主に異なる点は、巻取りドラム２７の下部中央部に支持軸挿入孔２８を形成し、下部フランジを使用しない光ファイバーケーブル巻取り体５Ａを用いた点で、このように形成した光ファイバーケーブル巻取り体５Ａを用いて構成した光ファイバーケーブルの巻取り具１Ａにしても、前記本発明の第１の実施の形態と同様な作用効果が得られる。
【００１６】
図２１および図２２に示す本発明の第３の実施の形態において、前記本発明の第１の実施の形態と主に異なる点は、上部ケース本体９、９を一体形成した上部ケース体１０Ａを用いた点で、このように形成された上部ケース体１０Ａを用いて構成した光ファイバーケーブルの巻取り具１Ｂにしても、前記本発明の第１の実施の形態と同様な作用効果が得られる。
【００１７】
【発明の効果】
以上の説明から明らかなように、本発明にあっては次に列挙する効果が得られる。
【００１８】
（１）上面の中央部に軸孔が形成された箱状のケース体と、このケース体の外側より回転させることができる巻取り体とからなる光ファイバーケーブルの巻取り具であって、
前記巻取り体は、光ファイバーケーブルの特性を損なうことのない曲げで巻取ることができる巻取りドラム、この巻取りドラムの上部に設けられたフランジ、このフランジの上面に光ファイバーケーブルを挿入することができる隙間を介して設けられた一対のガイドドラム、およびこの一対のガイドドラムの内壁部位に形成されて前記軸孔に挿入される回転体とからなり、
前記フランジは前記一対のガイドドラムから前記巻取りドラムへ光ファイバーケーブルをガイドするガイド部を有し、
前記ケース体は中央上面および両壁面に光ファイバーケーブルの中央部を上面から挿入することができる光ファイバー挿入孔を有し、
この光ファイバー挿入孔と前記隙間とが連通していて、前記光ファイバー挿入孔から挿入された光ファイバーケーブルの余長部の中央部が、前記隙間に挿入され、前記回転体を外部から回転させることにより、前記光ファイバーケーブルの余長部が前記一対のガイドドラムに巻かれて前記ガイド部より前記巻取り体に巻取られるようにしているので、配線された光ファイバーケーブルの余長や、検査時に使用する光ファイバーケーブル等の光ファイバーケーブルの特性を損なうことのない曲げで巻取りドラムに巻取ることができる。
したがって、光ファイバ−ケーブルの配線を余長を気にすることなく、楽に配線をきれいに配置できるように行なうことができるとともに、検査時に使用する光ファイバーケーブルの出し入れを楽に行なうことができる。
【００１９】
（２）前記（１）によって、光ファイバーケーブル巻取り体を回転させるだけで光ファイバーケーブルの特性を損なうことのない曲げで巻取れるので、誰でもが容易に、安全に使用することができる。
【００２０】
（３）前記（１）によって、ケース体の光ファイバーケーブル挿入孔に巻付ける光ファイバーケーブルのほぼ中央部を挿入し、光ファイバーケーブル巻取り体を回転させるだけで光ファイバーケーブルを巻取れるので、取付けが容易で、簡単にできる。
【００２１】
（４）前記（１）によって、巻取りドラムに左右に突出する光ファイバーケーブルを巻取るので、ケース体の厚さを薄く設定することができる。
したがって、小型コンパクト化を図ることができる。
【００２２】
（５）請求項２も前記（１）〜（４）と同様な効果が得られる。
【図面の簡単な説明】
【図１】本発明の第１の実施の形態の平面図。
【図２】本発明の第１の実施の形態の正面図。
【図３】本発明の第１の実施の形態の下部ケース体の平面図。
【図４】本発明の第１の実施の形態の下部ケース体の正面図。
【図５】本発明の第１の実施の形態の下部ケース体の底面図。
【図６】本発明の第１の実施の形態の上部ケース本体の平面図。
【図７】本発明の第１の実施の形態の上部ケース本体の左側面図。
【図８】本発明の第１の実施の形態の上部ケース本体の底面図。
【図９】本発明の第１の実施の形態の上部ケース本体の正面図。
【図１０】光ファイバーケーブル巻取り体の平面図。
【図１１】光ファイバーケーブル巻取り体の正面図。
【図１２】光ファイバーケーブル巻取り体の底面図。
【図１３】図１１の１３−１３線に沿う断面図。
【図１４】光ファイバーケーブルの挿入状態の説明図。
【図１５】光ファイバーケーブルの挿入し係止片を通過させる状態の説明図。
【図１６】光ファイバーケーブルの挿入完了状態の説明図。
【図１７】光ファイバーケーブル巻取り初期の状態の説明図。
【図１８】光ファイバーケーブル巻取り途中の状態の説明図。
【図１９】本発明の第２の実施の形態の平面図。
【図２０】本発明の第２の実施の形態の正面図。
【図２１】本発明の第３の実施の形態の平面図。
【図２２】本発明の第３の実施の形態の正面図。
【符号の説明】
１、１Ａ、１Ｂ：光ファイバーケーブルの巻取り具、
２：光ファイバーケーブル、
３：ケース体、
４：光ファイバーケーブル挿入孔、
５、５Ａ：光ファイバーケーブル巻取り体、
６：下部ケース体、      ７：ビス、
８：軸孔、              ９：上部ケース本体、
１０、１０Ａ：上部ケース体、
１１：下部ケース本体、  １２：支持軸、
１３、１４：補強リブ、  １５：ビス挿入孔、
１６：係止片、          １７：上面板、
１８：凹部、            １９：開口端部、
２０：側壁、            ２１：内側側壁、
２２：ビス螺合孔、      ２３、２４：補強リブ、
２５：隙間、            ２６：ガイド片、
２７：巻取りドラム、    ２８：支持軸挿入孔、
２９：下部フランジ、    ３０：ガイド部、
３１：フランジ、        ３２：隙間、
３３：ガイドドラム、    ３４：回転体。
【図１】
0004340403.tif 000002
【図２】
0004340403.tif 000003
【図３】
0004340403.tif 000004
【図４】
0004340403.tif 000005
【図５】
0004340403.tif 000006
【図６】
0004340403.tif 000007
【図７】
0004340403.tif 000008
【図８】
0004340403.tif 000009
【図９】
0004340403.tif 000010
【図１０】
0004340403.tif 000011
【図１１】
0004340403.tif 000012
【図１２】
0004340403.tif 000013
【図１３】
0004340403.tif 000014
【図１４】
0004340403.tif 000015
【図１５】
0004340403.tif 000016
【図１６】
0004340403.tif 000017
【図１７】
0004340403.tif 000018
【図１８】
0004340403.tif 000019
【図１９】
0004340403.tif 000020
【図２０】
0004340403.tif 000021
【図２１】
0004340403.tif 000022
【図２２】
0004340403.tif 000023